(57)【特許請求の範囲】
【請求項１】
基片の裏面に嵌挿ピンを、突設する一方、表面に一対の受止片を左右方向に並べて突設して受止駒を構成し、該受止駒の前記嵌挿ピンを、互いに固定関係にある前後一対の支柱の対向面に設けた受止穴に嵌挿して各支柱の前記対向面より前記一対の受止片を突出させると共に、棚板の端部には横部片と縦部片から成り、一対の前記受止片の一方に掛止して側縁を受止駒の前記基片の表面と接触する位置に対抗させる、断面Ｌ形の掛止片を設けた、書架における棚板の取付け装置。
【発明の詳細な説明】
【０００１】
【産業上の利用分野】
本発明は、書架における棚板の取付け装置に関するものである。
【０００２】
【従来の技術】
互いに固定関係にある前後一対の支柱に透孔を設け、該透孔と前記支柱間に係合した棚板に設けた透孔とを互いに一致させ、これら透孔に貫通させたボルト先端にナットを螺合して締付けて棚板の両端を支柱に取付けるようにした構造のものがある。
【０００３】
【発明が解決しようとする課題】
前記従来構造のものは、所謂組立て式の書架に適用するものとして相応に実用化されてはいるが、支柱と棚板のそれぞれに透孔を設け、両材を該透孔を利用してボルトとナットによって締付けるため、鋼材を用いるという素材上の制約があるだけでなく、ボルトとナットとの螺合が緩んだり、或いは、互いに錆付いたりして不都合が生じる場合がある。
【０００４】
本発明は、従来例の斯様な欠点を可及的に回避し、組立て式の書架に用いるに好適な棚板の取付け装置を提供すべく創案したものである。
【０００５】
【課題を解決するための手段】
基片の裏面に嵌挿ピンを、突設する一方、表面に一対の受止片を左右方向に並べて突設して受止駒を構成し、該受止駒の前記嵌挿ピンを、互いに固定関係にある前後一対の支柱の対向面に設けた受止穴に嵌挿して各支柱の前記対向面より前記一対の受止片を突出させると共に、棚板の端部には横部片と縦部片から成り、一対の前記受止片の一方に掛止して側縁を受止駒の前記基片の表面と接触する位置に対抗させる、断面Ｌ形の掛止片を設けた、構成としたものである。
【０００６】
【実施例】
図面は本発明に係る書架における棚板の取付け装置の一実施例を示し、図１は要部の縦断面図、図２は図１の縦断面図、図３は主要部材の分解斜視図、図４は書架の略示正面図である。
【０００７】
実施例装置は、受止駒Ａを互いに固定関係にある前後一対の支柱１，１ａに組付け、該受止駒Ａの受止片２に棚板３の両端を掛止させるようにして棚板３を支柱１，１ａに対して取り外し可能に取付けて構成するものである。
【０００８】
受止駒Ａは、基片４の裏面に上下一対の嵌挿ピン５，５を、表面の両側に前記受止片２をそれぞれ突設してた合成樹脂体（金属体でも差し支えはない）で構成する。
【０００９】
実施例の受止駒Ａは、一対の嵌挿ピン５，５を備えているが、これは、支柱１，１ａに設けた一対（一組）の受止穴６，６に嵌挿することにより基片４すなわち受止駒Ａが横軸回転しないようにするためで、単一な嵌挿ピン５のみの場合でも必ずしも不都合はない。なお、断面方形状にすると（従って、受止穴６も断面方形状）単一な嵌挿ピン５の場合でも、実施例のような一対の嵌挿ピン５，５の場合とほぼ同程度の回転防止を期待できる。
【００１０】
単一な嵌挿ピン５（断面円形のとき）を用いて本発明を適用する場合は、棚板３の両端に設けた掛止片７の先端側の縦部片７ａの高さ幅を広くすれば、棚板３に負荷される荷重による嵌挿ピン５の回転を防止できることは勿論である。
【００１１】
また、実施例の受止駒Ａは、基片４の表面に一対の受止片２，２を左右方向に並べて備えているが、これは図２や図４で示すように、棚板３を横方向に順次連結できるようにしたためで、横方向において単一な棚板を取付ける場合でも本発明の適用に不都合がないことは勿論である。
【００１２】
実施例の一対の受止片２，２は、下端を仲介片８を介して互いに一体にしてあるのは、仲介片８の存在によって耐荷重性を増大させるためである。
【００１３】
実施例の支柱１，１ａは、方形筒の鋼材で構成してあるが、該支柱１，１ａの相対向面１´，１´ａに設けた受止穴６が嵌挿ピン５を嵌挿してその状態で受止駒Ａを支持する構造のものであれば良いから（組立て作業の関係から）、木材で構成しても不都合はないし、受止穴６は受止駒Ａに設けた嵌挿ピン５の数に対応した数で一組とすること勿論である。そして、この受止穴６は支柱１，１ａの長手（縦）方向に沿って適宜設けることにより、棚板３の段数位置を自在に選択できる書架を得られる。
【００１４】
前記棚板３は鋼板製の棚主体３Ａの両端を、前記掛止片７を備えた鋼板製の端部材７Ａを組付けて構成したものであるが、棚主体３Ａを木材で構成して端部材７Ａを鋼材で構成しても良いし、両材３Ａ，７Ａを一体にしたものであっても良い。
【００１５】
実施例の場合は、端部材７Ａの掛止片７に連設した接続片７´を止着ねじ１６で棚主体３Ａに止着して棚主体３Ａの両端に掛止片７を設けたもので、掛止片７は横（上）部片７ｂの先端に前記縦部片７ａを吊設して構成し、横部片７ｂの直下すなわち縦部片７ａと棚主体３Ａとの間を、下端開口の前記受止片２に対する掛止溝９としたものである。
【００１６】
なお、掛止片７は、棚板３の横幅の全長に亘って設けてあるが、中間部を省略して棚板３の両側にのみ設けても不都合はない。また、この掛止片７の縦部片７ａの両側下端縁７´ａ側を円弧状にしてあるのは、縦部片７ａを前記受止片２，２間に嵌挿し易くするためである。
【００１７】
しかして、実施例の書架は、上板１８ａ、下板１８ｂおよび左右の前後一対の支柱１，１、１ａ，１ａ並びに中間部の前後支柱１，１ａを互いに止着して各前後の支柱１，１ａを固定関係にして棚板３を取付けたものであって、前記前後一対の支柱１，１ａの対向面１´，１´ａに設けた受止穴６，６の嵌挿ピン５を嵌挿して前記対向面１´，１´ａより受止片２を突出させ、この受止片２に棚板３の端部に設けた掛止片７（の横部片７ｂ）を掛止して掛止片７の側縁１７を前記受止駒Ａの基片４の表面４´と接触する位置に対向させて配して実施例装置を得るのである。
【００１８】
なお、掛止片７の側縁１７と基片４の表面４´が接触させるように配した方が、棚板３が支柱１，１ａ間のいわば突っ張り材となってガタがなく、書架の組立て強度が増すが、側縁１７と表面４´は離れていても差し支えなく、その許容範囲は、受止穴６より嵌挿ピン５が抜ける長さであり、側縁１７が基片４に接して受止駒Ａの支柱１，１ａからの離脱を規制できれば良い。
【００１９】
【発明の効果】
本発明は前記の通りの構成であるから、組立て式の書架に用いるのに好適で、棚板を順次横方向に連結でき、また、棚板が支柱から脱落することのない取付け作業を円滑に行える装置を提供できる。
【図面の簡単な説明】
【図１】要部の縦断面図。
【図２】図１の縦断面図。
【図３】主要部材の分解斜視図。
【図４】書架の略示正面図。
【符号の説明】
１，１ａ        支柱
１´，１´ａ    対向面
２              受止片
３              棚板
４              基片
５              嵌挿ピン
６              受止穴
７              掛止片
７ａ            縦部片
７ｂ            横部片
１７            側縁
Ａ              受止駒
【図１】
0003940576.tif 000002
【図２】
0003940576.tif 000003
【図３】
0003940576.tif 000004
【図４】
0003940576.tif 000005